(57)【特許請求の範囲】
【請求項１】
送信ビット系列を変調することにより変調シンボルを生成する変調部と、
前記変調シンボルを差動時空間ブロック符号化することにより符号化シンボルを生成する符号化部と、
前記符号化シンボルに対して、複数の変換処理のなかから選択される前記変換処理を行う変換部と、
前記変換処理後の前記符号化シンボルを送信するアンテナと、
を備え、
前記アンテナは複数であり、
前記符号化シンボルに対応する前記アンテナごとに、前記符号化シンボルに対して行う前記変換処理が選択され、
前記複数の変換処理は、前記符号化シンボルを複素平面において回転させる処理であることを特徴とする送信装置。
【請求項２】
送信ビット系列を変調することにより変調シンボルを生成する変調部と、
前記変調シンボルを差動時空間ブロック符号化することにより符号化シンボルを生成する符号化部と、
前記符号化シンボルに対して、複数の変換処理のなかから選択される前記変換処理を行う変換部と、
前記変換処理後の前記符号化シンボルを送信するアンテナと、
を備え、
前記アンテナは複数であり、
前記符号化シンボルに対応する前記アンテナごとに、前記符号化シンボルに対して行う前記変換処理が選択され、
前記アンテナごとに、それぞれ４つの前記変換処理があらかじめ定義され、
前記変換部は、前記符号化シンボルに対して、前記アンテナに対応する４つの前記変換処理のなかから選択された前記変換処理を行うことを特徴とする送信装置。
【請求項３】
４つの前記変換処理は、前記符号化シンボルをそのまま出力する処理、前記符号化シンボルの虚部の正負の符号を反転させた後に実部と虚部とを入れ替える処理、前記符号化シンボルの実部および虚部の正負の符号を反転させる処理、および、前記符号化シンボルの実部の正負符号を反転させた後に実部と虚部とを入れ替える処理であることを特徴とする請求項２に記載の送信装置。
【請求項４】
基地局装置と、前記基地局装置を制御する制御装置とを備える無線通信システムであって、
前記基地局装置は、
送信ビット系列を変調することにより変調シンボルを生成する変調部と、
前記変調シンボルを差動時空間ブロック符号化することにより符号化シンボルを生成する符号化部と、
前記符号化シンボルに対して、複数の変換処理のなかから選択される前記変換処理を行う変換部と、
前記変換処理後の前記符号化シンボルを送信するアンテナと、
を備える送信装置を備え、
前記制御装置は、前記変換部において選択される前記変換処理を指示する信号を前記基地局装置へ送信し、
前記アンテナは複数であり、
前記制御装置は、カバーエリアの重なる前記基地局装置ごとに、前記アンテナから送信される前記変換処理後の前記符号化シンボルの複数の前記アンテナ間の位相差が異なるように、前記変換部において選択される前記変換処理を決定することを特徴とする無線通信システム。
【請求項５】
前記制御装置は、前記アンテナごとに、前記符号化シンボルに対して行う前記変換処理を決定することを特徴とする請求項４に記載の無線通信システム。
【請求項６】
前記アンテナごとに、それぞれ４つの前記変換処理があらかじめ定義され、
前記制御装置は、前記アンテナに対応する４つの前記変換処理のなかから前記アンテナに対応する前記変換処理を決定することを特徴とする請求項５に記載の無線通信システム。
【請求項７】
４つの前記変換処理は、前記符号化シンボルをそのまま出力する処理、前記符号化シンボルの虚部の正負の符号を反転させた後に実部と虚部とを入れ替える処理、前記符号化シンボルの実部および虚部の正負の符号を反転させる処理、および、前記符号化シンボルの実部の正負符号を反転させた後に実部と虚部とを入れ替える処理であることを特徴とする請求項６に記載の無線通信システム。
【請求項８】
前記アンテナごとの前記変換処理を示す情報の、複数の前記アンテナ分の組み合わせは、前記位相差に応じて４つのグループにグループ分けされ、
前記制御装置は、前記カバーエリアの重なる前記基地局装置に対してそれぞれ異なる前記グループに属する前記組み合わせを割当て、割当てた前記組み合わせに基づいて前記基地局装置の前記アンテナに対応する前記変換処理を決定することを特徴とする請求項４から７のいずれか１つに記載の無線通信システム。
【請求項９】
前記基地局装置は、それぞれ複数の前記送信装置を備えることを特徴とする請求項４から７のいずれか１つに記載の無線通信システム。
【請求項１０】
前記アンテナごとの前記変換処理を示す情報の、複数の前記アンテナ分の組み合わせは、前記位相差に応じて４つのグループにグループ分けされ、
前記制御装置は、前記カバーエリアの重なる前記基地局装置の前記送信装置に対してそれぞれ異なる前記グループに属する前記組み合わせを割当て、割当てた前記組み合わせに基づいて前記基地局装置の前記アンテナに対応する前記変換処理を決定することを特徴とする請求項９に記載の無線通信システム。
【請求項１１】
アンテナを備える送信装置における処理回路であって、
送信ビット系列を変調することにより変調シンボルを生成する変調部と、
前記変調シンボルを差動時空間ブロック符号化することにより符号化シンボルを生成する符号化部と、
前記符号化シンボルに対して、複数の変換処理のなかから選択される前記変換処理を行う変換部と、
を備え、
前記アンテナは複数であり、前記変換処理後の前記符号化シンボルが前記アンテナから送信され、
前記符号化シンボルに対応する前記アンテナごとに、前記符号化シンボルに対して行う前記変換処理が選択され、
前記複数の変換処理は、前記符号化シンボルを複素平面において回転させる処理であることを特徴とする処理回路。
【請求項１２】
アンテナを備える送信装置に、前記アンテナから送信する送信信号を生成する生成処理を実行させるためのプログラムであって、
前記生成処理は、
送信ビット系列を変調することにより変調シンボルを生成する第１のステップと、
前記変調シンボルを差動時空間ブロック符号化することにより符号化シンボルを生成する第２のステップと、
前記符号化シンボルに対して、複数の変換処理のなかから選択される前記変換処理を行う第３のステップと、
を備え、
前記アンテナは複数であり、前記変換処理後の前記符号化シンボルが前記アンテナから送信され、
前記符号化シンボルに対応する前記アンテナごとに、前記符号化シンボルに対して行う前記変換処理が選択され、
前記複数の変換処理は、前記符号化シンボルを複素平面において回転させる処理であることを特徴とするプログラム。
【発明の詳細な説明】
【技術分野】
【０００１】
本発明は、差動時空間ブロック符号方式（ＤＳＴＢＣ：Differential  Space-Time  Block  Coding）方式により伝送を行う送信装置、基地局装置および無線通信システムに関する。
【背景技術】
【０００２】
無線通信では、フェージングによる通信性能の低下を防ぐ技術として、伝送路特性の異なる複数の伝送路を用いて伝送を行うダイバーシチ技術が用いられる。例えば、送信側で複数のアンテナを用いて送信する送信ダイバーシチ技術における方式の一例として、時空間ブロック符号化（ＳＴＢＣ：Space-Time  Block  Coding）により直交した複数の系列を生成し、各系列をそれぞれ異なるアンテナで送信するＳＴＢＣ方式がある。ＳＴＢＣ方式では、受信装置はフルダイバーシチを達成できる。【０００３】
ＳＴＢＣ方式では、複数のシンボルが１つのブロックとして扱われる。一般的に、ＳＴＢＣ方式では、アンテナ数と１つのブロックとして扱うシンボル数とが対応付けられる。例えば、アンテナ数が２の場合、ＳＴＢＣ方式では、１つのブロックは２シンボルで構成される。ＳＴＢＣ方式では、受信装置は、受信した信号を復調するために伝送路情報の推定を行う必要があるが、ＳＴＢＣ方式によるダイバーシチの効果を得ることができる。【０００４】
また、伝送路情報の推定が不要な方式として、非特許文献１に、ＳＴＢＣ方式におけるブロック単位で差動符号化するＤＳＴＢＣ方式が開示されている。例えば、アンテナ数を２とした、ＤＳＴＢＣ方式による伝送では、２シンボルを１つのブロックとして２×２の行列を生成し、連続する２つのブロックの行列間で差動符号化を行う。ＤＳＴＢＣ方式では、受信装置は、受信した２シンボルで２×２の行列を生成し、２つのブロックの行列間で差動復号化することで、復調を行う。
【先行技術文献】
【非特許文献】
【０００５】
【非特許文献１】Ｖ．Ｔａｒｏｋｈ  ａｎｄ  Ｈ．Ｊａｆａｒｋｈａｎｉ，”Ａ  Ｄｉｆｆｅｒｅｎｔｉａｌ  Ｄｅｔｅｃｔｉｏｎ  Ｓｃｈｅｍｅ  ｆｏｒ  Ｔｒａｎｓｍｉｔ  Ｄｉｖｅｒｓｉｔｙ，”ＩＥＥＥ  Ｊｏｕｒｎａｌ  ｏｎ  Ｓｅｌｅｃｔｅｄ  Ａｒｅａｓ  ｉｎ  Ｃｏｍｍｕｎｉｃａｔｉｏｎｓ，Ｖｏｌ．１８，ｐｐ１１６９−１１７４，Ｊｕｌｙ  ２０００．
【発明の概要】
【発明が解決しようとする課題】
【０００６】
複数の基地局を設置し、基地局と移動局との間の通信を提供する無線通信システムでは、移動局が基地局から送信された信号を受信できないエリアをなくすことが望まれる。このため、各基地局の通信エリアすなわち各基地局から送信された信号を受信可能な範囲が重なるように、各基地局は設置される。したがって、複数の基地局から、同じ周波数で同じ信号を送信する場合、通信エリアが重なる場所に位置する移動局において、受信信号が逆位相で合成されることにより受信信号の電力が低下する、いわゆるビート干渉が発生し、これにより通信性能が低下する課題がある。【０００７】
また、無線通信システムでは、１つの基地局の通信エリアを拡大することにより、より少ない基地局数で通信を提供する範囲をカバーすることが望まれる。１つの基地局の通信エリアを拡大する手法として、送信アンテナ数を増やすことが考えられる。しかしながら、ＤＳＴＢＣ方式による送信ダイバーシチ技術では、アンテナ数を増やすと、１つのブロックに含めるシンボル数、すなわち生成する行列の行数および列数が増大し、処理量が指数的に増大するという課題がある。【０００８】
本発明は、上記に鑑みてなされたものであって、複数の基地局から同じ信号を同じ周波数で送信した場合であっても、受信信号の電力の低下を抑制することができる送信装置を得ることを目的とする。
【課題を解決するための手段】
【０００９】
上述した課題を解決し、目的を達成するために、本発明にかかる送信装置は、送信ビット系列を変調することにより変調シンボルを生成する変調部と、変調シンボルを差動時空間ブロック符号化することにより符号化シンボルを生成する符号化部と、を備える。本発明にかかる送信装置は、さらに、符号化シンボルに対して、複数の変換処理のなかから選択される変換処理を行う変換部と、変換処理後の符号化シンボルを送信するアンテナと、を備える。アンテナは複数であり、符号化シンボルに対応するアンテナごとに、符号化シンボルに対して行う変換処理が選択され、複数の変換処理は、符号化シンボルを複素平面において回転させる処理である。
【発明の効果】
【００１０】
本発明にかかる送信装置は、複数の基地局から同じ信号を同じ周波数で送信した場合であっても、受信信号の電力の低下を抑制することができるという効果を奏する。
【図面の簡単な説明】
【００１１】
【図１】実施の形態１にかかる送信装置の構成例を示す図
【図２】実施の形態１の受信装置の構成例を示す図
【図３】実施の形態１の処理回路を示す図
【図４】実施の形態１のプロセッサを備える処理回路の構成例を示す図
【図５】実施の形態１の送信装置における処理手順の一例を示すフローチャート
【図６】実施の形態１のＱＰＳＫにおける信号点配置を示す図
【図７】実施の形態１の、ak，bk，ck，dkからek，fk，mk，nkへの変換の規則の一例を示す図
【図８】実施の形態１の、ak，bk，ck，dkからpk，qk，uk，vkへの変換の規則の一例を示す図
【図９】実施の形態１における無線通信システムの一例を示す図
【図１０】実施の形態１の各パターンのグループ分けの一例を示す図
【図１１】実施の形態２にかかる無線通信システムの構成例を示す図
【図１２】実施の形態２の基地局装置の構成例を示す図
【発明を実施するための形態】
【００１２】
以下に、本発明の実施の形態にかかる送信装置、基地局装置および無線通信システムを図面に基づいて詳細に説明する。なお、この実施の形態によりこの発明が限定されるものではない。
【００１３】
実施の形態１．
図１は、本発明の実施の形態１にかかる送信装置１０の構成例を示す図である。図１に示すように、本実施の形態の送信装置１０は、マッピング部１１、ＤＳＴＢＣ符号化部１２、符号変換部１３、無線部１４，１５およびアンテナ１６，１７を備える。送信装置１０は、ＤＳＴＢＣ方式によりブロックを生成し、生成したブロックを送信する。送信装置１０は、例えば、無線通信を行う通信装置内に設けられる。
【００１４】
マッピング部１１は、送信ビット系列を変調して変調シンボルを生成し、変調シンボルをＤＳＴＢＣ符号化部１２へ出力する。すなわち、マッピング部１１は、送信ビット系列を変調することにより変調シンボルを生成する変調部である。具体的には、マッピング部１１は、送信ビットを変調シンボルとして複素平面上にマッピングする。マッピング部１１における変調方式としては、例えば、四位相偏移変調（ＱＰＳＫ：Quadrature  Phase  Shift  Keying）を用いることができるが、本実施の形態における変調方式はどのような方式であってもよくＱＰＳＫに限定されない。また、送信ビット系列は、送信する情報を表すビット系列でもよいし、送信する情報を表すビット系列が誤り訂正符号化されたビット系列でもよい。
【００１５】
ＤＳＴＢＣ符号化部１２は、変調シンボルに対して差動時空間符号化すなわちＤＳＴＢＣ符号化を行い、ＤＳＴＢＣ符号化後の変調シンボルである符号化シンボルを含むＤＳＴＢＣブロックを符号変換部１３へ出力する。すなわち、ＤＳＴＢＣ符号化部１２は、変調シンボルを差動時空間ブロック符号化することにより符号化シンボルを生成する符号化部である。符号変換部１３は、ＤＳＴＢＣブロックに対して、後述する規則にしたがった変換処理を実施して、変換処理後のＤＳＴＢＣブロックを２つに分け、一方を無線部１４へ出力し、他方を無線部１５へ出力する。符号変換部１３は、符号化シンボルに対して、複数の変換処理のなかから選択される変換処理を行う変換部である。符号変換部１３における動作の詳細は後述する。
【００１６】
無線部１４，１５は、符号変換部１３から入力された信号に対して波形整形、Ｄ／Ａ（Digital／Analog）変換、アップコンバート、増幅処理などの送信処理を実施し、送信処理後の信号をそれぞれアンテナ１６，１７へ出力する。すなわち、アンテナ１６，１７は、符号変換部１３による変換処理後の符号化シンボルを送信する。アンテナ１６，１７から送信される信号は同一周波数である。無線部１４，１５における送信処理としては、どのような処理を行ってもよく、一般的に行われる送信処理を用いることができる。アンテナ１６，１７は、無線部１４，１５からそれぞれ入力された信号を無線信号として送信する。なお、本実施の形態では、送信アンテナの数を２本としているが、送信アンテナの数はこれに限定されない。すなわち、送信装置１０が備えるアンテナは複数であっても、１本であってもよい。
【００１７】
図２は、本実施の形態の受信装置２０の構成例を示す図である。図２に示すように、受信装置２０は、アンテナ２１、無線部２２、ＤＳＴＢＣ復号部２３およびデマッピング部２４を備える。受信装置２０は、送信装置１０から送信された信号を受信することが可能な受信装置２０である。
【００１８】
アンテナ２１は、無線信号を受信する。無線部２２は、アンテナ２１により受信された信号に対して、増幅、ダウンコンバート、Ａ／Ｄ（Analog／Digital）変換、波形整形などの受信処理を実施し、受信処理後の信号をＤＳＴＢＣ復号部２３へ出力する。ＤＳＴＢＣ復号部２３は、受信処理後の信号である受信シンボルに対して差動時空間復号すなわちＤＳＴＢＣ復号を行い、ＤＳＴＢＣ復号後の受信シンボルをデマッピング部２４へ出力する。デマッピング部２４は、ＤＳＴＢＣ復号部２３から入力された受信シンボルに対して送信装置１０におけるマッピングと逆の処理を実施することにより復調し、復調により得られたビット系列を受信ビット系列として出力する。
【００１９】
なお、受信装置２０としては、ＤＳＴＢＣ方式を用いて送信ダイバーシチにより送信された信号を受信する一般的な受信装置を用いることができる。図２では、受信装置２０の一例として、１本のアンテナを備える受信装置を示しているが、受信装置におけるアンテナの数は１本に限定されない。アンテナが２本以上の場合の構成および動作についても、ＤＳＴＢＣ方式を用いて送信ダイバーシチにより送信された信号を受信する一般的な受信装置と同様である。なお、以下の動作の説明では、アンテナ数が１本の場合について説明する。
【００２０】
次に、本実施の形態の送信装置１０のハードウェア構成について説明する。送信装置１０における無線部１４，１５は、通信回路により実現される。マッピング部１１、ＤＳＴＢＣ符号化部および符号変換部１３は、処理回路により実現される。処理回路は、専用のハードウェアであってもよいし、プロセッサを備える処理回路であってもよい。
【００２１】
マッピング部１１、ＤＳＴＢＣ符号化部および符号変換部１３を実現する処理回路が専用のハードウェアである場合、この処理回路は図３に示した処理回路５００である。図３は、本実施の形態の処理回路５００を示す図である。処理回路５００としては、例えば、単一回路、複合回路、プログラム化したプロセッサ、並列プログラム化したプロセッサ、ＡＳＩＣ（Application  Specific  Integrated  Circuit）、ＦＰＧＡ（Field  Programmable  Gate  Array）、またはこれらを組み合わせたものが該当する。
【００２２】
マッピング部１１、ＤＳＴＢＣ符号化部および符号変換部１３を実現する処理回路がプロセッサを備える処理回路である場合、この処理回路は、例えば、図４に示した処理回路５０３である。図４は、プロセッサを備える処理回路の構成例を示す図である。図４に示した処理回路５０３は、プロセッサ５０１およびメモリ５０２を備える。プロセッサ５０１は、ＣＰＵ（Central  Processing  Unit）、マイクロプロセッサ等である。メモリ５０２は、例えば、ＲＡＭ（Random  Access  Memory）、ＲＯＭ（Read  Only  Memory）、フラッシュメモリ、等の、不揮発性または揮発性の半導体メモリ、磁気ディスク等が該当する。
【００２３】
マッピング部１１、ＤＳＴＢＣ符号化部および符号変換部１３が処理回路５０３により実現される場合、マッピング部１１、ＤＳＴＢＣ符号化部および符号変換部１３を実現する機能が実現されるためのプログラムがメモリ５０２に格納されており、プロセッサ５０１によりプログラムが実行されることによりマッピング部１１、ＤＳＴＢＣ符号化部１２および符号変換部１３が実現される。メモリ５０２は、プロセッサ５０１によりプログラムが実行される際の記憶領域としても用いられる。また、マッピング部１１、ＤＳＴＢＣ符号化部および符号変換部１３は、一部が専用のハードウェアである処理回路５００により実現され、残部が処理回路５０３により実現されてもよい。
【００２４】
次に、本実施の形態の動作について説明する。まず、送信装置１０の動作について説明する。図５は、本実施の形態の送信装置１０における処理手順の一例を示すフローチャートである。図５に示すように、送信装置１０は、送信ビット系列をマッピングする（ステップＳ１）。具体的には、マッピング部１１が、送信ビット系列をシンボルごとに複素平面で表される変調シンボルにマッピングし、変調シンボルをＤＳＴＢＣ符号化部１２へ出力する。変調方式としてＱＰＳＫが用いられるとすると、マッピング部１１は、送信ビット系列の２ビットで構成される１シンボルをＱＰＳＫにおける変調シンボルの複素平面における信号点に配置する。図６は、ＱＰＳＫにおける信号点配置を示す図である。図６において、横軸は実軸を示し、縦軸は虚軸を示す。図６において、Ａ：（１，０）は、送信ビット系列の２ビットが（１，０）であるときの変調シンボルの信号点を示し、Ａ：（０，０）は、送信ビット系列の２ビットが（０，０）であるときの変調シンボルの信号点を示す。また、図６において、Ａ：（１，１）は、送信ビット系列の２ビットが（１，１）であるときの変調シンボルの信号点を示し、Ａ：（０，１）は、送信ビット系列の２ビットが（０，１）であるときの変調シンボルの信号点を示す。
【００２５】
図５の説明に戻り、ステップＳ１の後、送信装置１０のＤＳＴＢＣ符号化部１２は、マッピング部１１から入力された変調シンボルを用いて、ＤＳＴＢＣ行列を生成する（ステップＳ２）。具体的には、ＤＳＴＢＣ符号化部１２は、変調シンボルの２シンボルを１つのブロックとして、１ブロックの変調シンボルに対応する変調シンボル行列S（太字）[k]を生成し、下記式（１）に従って、ＤＳＴＢＣ行列C（太字）[k]を生成する。すなわち、ＤＳＴＢＣ符号化部１２は、変調シンボル行列S（太字）[k]に１ブロック前のブロックに対応するＤＳＴＢＣ行列C[k-1]を乗算することにより、ＤＳＴＢＣ行列C（太字）[k]を生成する。kはブロックの番号を示す整数である。なお、ＤＳＴＢＣ行列C（太字）[k-1]は、１つ前のブロックのＤＳＴＢＣ行列である。ＤＳＴＢＣ符号化部１２は、ＤＳＴＢＣ行列C（太字）[k]を符号変換部１３へ出力する。
【００２６】
【数１】
0006618655.tif 000002
【００２７】
変調シンボル行列S（太字）[k]は、k番目のブロックに対応する２つの変調シンボルをそれぞれxk+jyk，zk+jwkとすると、以下の式（２）で表すことができる。なお、jは虚数単位を表す。xk，zkは、ｋ番目のブロックに対応する変調シンボルの実部であり、yk，wkは、ｋ番目のブロックに対応する変調シンボルの虚部である。
【００２８】
【数２】
0006618655.tif 000003
【００２９】
また、ＤＳＴＢＣ符号化部１２が出力するＤＳＴＢＣ行列C（太字）[k]の２シンボルをak+jbk，ck+jdkとすると、ＤＳＴＢＣ行列C（太字）[k]は、以下の式（３）で表すことができる。ak，ckは、ｋ番目のブロックに対応するＤＳＴＢＣ行列C（太字）[k]のシンボルの実部であり、bk，dkは、ｋ番目のブロックに対応するＤＳＴＢＣ行列C（太字）[k]のシンボルの虚部である。
【００３０】
【数３】
0006618655.tif 000004
【００３１】
なお、式（１）に示した通り、ｋ番目のブロックのＤＳＴＢＣ行列C（太字）[k]の生成には、１つ前のブロックのＤＳＴＢＣ行列であるC（太字）[k-1]が用いられる。このため、ＤＳＴＢＣ符号化部１２は、生成したＤＳＴＢＣ行列C（太字）[k]を、次のブロックの処理まで保持する。また、初回のＤＳＴＢＣ符号化部１２における演算、または送信フレームの先頭でブロック番号を初期化する場合などでは、１つ前のブロックのＤＳＴＢＣ行列C（太字）[k-1]として、以下の式（４）に示される行列C（太字）[0]が用いられる。初期値であるa0+jb0およびc0+jd0は、例えば、送信装置１０の外部から入力される。
【００３２】
【数４】
0006618655.tif 000005
【００３３】
なお、上記の式（１）では、ＤＳＴＢＣ符号化部１２は、行列演算として全ての要素を対象に乗算および加減算を行っているが、例えば、ak+jbkおよびck+jdkの２要素のみを行列演算により算出し、ak-jbkはak+jbkの複素共役として算出し、-ck+jdkはck+jdkの実部の符号反転により算出するようにして、演算量を削減してもよい。
【００３４】
図５の説明に戻り、ステップＳ２の後、符号変換部１３は、ＤＳＴＢＣ行列C（太字）[k]の各要素に対して、実部と虚部との入替、正負の符号の入替などの処理である変換処理を行い、以下の式（５）に示す符号変換行列D（太字）[k]を生成する（ステップＳ３）。符号変換行列D（太字）[k]のek+jfk，mk+jnkを無線部１４へ出力し、pk+jqk，uk+jvkを無線部１５に出力する。ek，fk，mk，nk，pk，qk，uk，vkは、後述する規則に基づいて、ak，bk，ck，dkから算出される。
【００３５】
【数５】
0006618655.tif 000006
【００３６】
符号変換部１３における変換処理の方法、すなわちek，fk，mk，nk，pk，qk，uk，vkを算出するための規則について説明する。図７は、ak，bk，ck，dkからek，fk，mk，nkへの変換の規則の一例を示す図である。図７に示す通り、ak，bk，ck，dkからek，fk，mk，nkへの変換の規則を示すパターンは、パターンＡ、パターンＢ、パターンＣおよびパターンＤの４パターンがある。例えば、パターンＡでは、akが式（５）におけるekとして出力され、bkが式（５）におけるfkとして出力され、-ckが式（５）におけるmkとして出力され、dkが式（５）におけるnkとして出力される。図７に示すように、ek，fkは、それぞれが、ak，bk，-ak，-bkのうちのいずれかの値であり、mk，nkは、それぞれが、ck，dk，-ck，-dkのうちのいずれかの値である。
【００３７】
図８は、ak，bk，ck，dkからpk，qk，uk，vkへの変換の規則の一例を示す図である。図８に示す通り、ak，bk，ck，dkからpk，qk，uk，vkへの変換の規則を示すパターンは、パターンＥ、パターンＦ、パターンＧおよびパターンＨの４パターンがある。例えば、パターンＥでは、ckが式（５）におけるpkとして出力され、dkが式（５）におけるqkとして出力され、akが式（５）におけるukとして出力され、-bkが式（５）におけるvkとして出力される。図８に示すように、pk，qkは、それぞれが、ck，dk，-ck，-dkのうちのいずれかの値であり、uk，vkは、それぞれが、ak，bk，-ak，-bkのうちのいずれかの値である。
【００３８】
図７に示すように、パターンＡからパターンＤは、ＤＳＴＢＣ行列C（太字）[k]の１列目の要素に対して、実部と虚部とをそのまま出力する処理、実部と虚部とを入れ替える処理、および、実部または虚部の正負の符号を反転させる処理のうち１つ以上の処理を行うことを示している。具体的には、パターンＡは、ＤＳＴＢＣ行列C（太字）[k]の１列目の要素に対して、実部と虚部とをそのまま出力することを示しており、パターンＢは、ＤＳＴＢＣ行列C（太字）[k]の１列目の要素に対して、虚部の正負符号を反転させた上で実部と虚部とを入れ替える処理を行うことを示している。パターンＣは、ＤＳＴＢＣ行列C（太字）[k]の１列目の要素に対して、実部および虚部の正負符号を反転させる処理を行うことを示している。パターンＤは、ＤＳＴＢＣ行列C（太字）[k]の１列目の要素に対して、実部の正負の符号を反転させた後に実部および虚部を入れ替える処理を行うことを示している。換言すると、パターンＡは、複素平面において０度回転させることを示し、パターンＢは複素平面において９０度回転させることを示し、パターンＣは複素平面において１８０度回転させることを示し、パターンＤは複素平面において２７０度回転させることを示す。
【００３９】
同様に、図８に示すように、パターンＥからパターンＨは、ＤＳＴＢＣ行列C（太字）[k]の２列目の要素に対して、実部と虚部とをそのまま出力する処理、実部と虚部とを入れ替える処理、および、実部または虚部の正負の符号を反転させる処理のうち１つ以上の処理を行うことを示している。具体的には、パターンＥは、ＤＳＴＢＣ行列C（太字）[k]の２列目の要素に対して、実部と虚部をそのまま出力することを示しており、パターンＦは、ＤＳＴＢＣ行列C（太字）[k]の２列目の要素に対して、虚部の正負符号を反転させた上で実部と虚部とを入れ替える処理を行うことを示している。パターンＧは、ＤＳＴＢＣ行列C（太字）[k]の２列目の要素に対して、実部および虚部の正負符号を反転させる処理を行うことを示している。パターンＨは、ＤＳＴＢＣ行列C（太字）[k]の２列目の要素に対して、実部の正負の符号を反転させた後に実部および虚部を入れ替える処理を行うことを示している。
【００４０】
したがって、符号変換行列D（太字）[k]の１列目と２列目とは、それぞれ異なるアンテナ１６，１７から送信されるため、ＤＳＴＢＣ行列C（太字）[k]の１列目および２列目の要素に対して選択されるパターンの組み合わせによって、アンテナ１６，１７から送信される信号間の位相差が異なることになる。以上のように、パターンＡからパターンＨは、アンテナごとの変換処理を示す情報である。
【００４１】
ak，bk，ck，dkからek，fk，mk，nkへの変換において、パターンＡ、パターンＢ、パターンＣおよびパターンＤのうちどのパターンが用いられるかは、外部から入力される第１選択信号により指定される。ak，bk，ck，dkからpk，qk，uk，vkへの変換において、パターンＥ、パターンＦ、パターンＧおよびパターンＨのうちどのパターンが用いられるかは、外部から入力される第２選択信号により指定される。なお、第１選択信号および第２選択信号によるパターンの指定方法については後述する。
【００４２】
このように、ak，bk，ck，dkからek，fk，mk，nkへの変換とak，bk，ck，dkからpk，qk，uk，vkへの変換とにおいてそれぞれどのパターンが使用されるかは個別に選択される。すなわち、ＤＳＴＢＣ符号化後のシンボルである符号化シンボルに対応するアンテナすなわちＤＳＴＢＣ符号化後のシンボルである符号化シンボルが送信されるアンテナごとに、符号化シンボルに対して行う変換処理が選択される。具体的には、アンテナごとに、それぞれ４つのパターンが定められることにより、アンテナごとに４つの変換処理があらかじめ定義され、符号変換部１３は、符号化シンボルに対して、アンテナに対応する４つの変換処理のなかから選択された変換処理を行うことになる。４つの変換処理は、符号化シンボルをそのまま出力する処理、符号化シンボルの虚部の正負の符号を反転させた後に実部と虚部を入れ替える処理、符号化シンボルの実部および虚部の正負の符号を反転させる処理、および、実部の正負符号を反転させた後に実部と虚部とを入れ替える処理を含む。
【００４３】
図５の説明に戻り、ステップＳ３の後、送信装置１０は、符号変換部１３により変換された信号を送信する（ステップＳ４）。具体的には、無線部１４，１５が、それぞれ符号変換部１３から入力された信号に対して送信処理を実施し、送信処理後の信号をアンテナ１６，１７からそれぞれ送信する。また、本実施の形態では、ＤＳＴＢＣ方式を用いた送信ダイバーシチを行うために、２本の送信アンテナを用いる例を説明したが、送信アンテナが１本の場合にも本実施の形態は適用可能である。この場合、ek+jfkおよびmk+jnkとpk+jqkおよびuk+jvkとのうちのいずれかが送信アンテナから送信される。
【００４４】
次に、本実施の形態の受信装置２０が、送信装置１０から送信された信号を受信する場合の受信装置２０の動作について説明する。まず、受信装置２０のアンテナ２１は、送信装置１０から送信された信号を受信し、受信した信号を無線部２２へ出力する。
【００４５】
無線部２２は、アンテナ２１から入力された受信信号に対し、受信処理を実施し、受信処理後の信号をＤＳＴＢＣ復号部２３へ出力する。ＤＳＴＢＣ復号部２３は、無線部２２から入力される信号に対して、２シンボルを１つのブロックとして、受信シンボル行列R（太字）[k]を生成する。具体的には、無線部２２から入力されたk番目のブロックの２シンボルをr1,k+jr2,kおよびr3,k+jr4,kとすると、以下の式（６）により受信シンボル行列R（太字）[k]を生成する。
【００４６】
【数６】
0006618655.tif 000007
【００４７】
次に、ＤＳＴＢＣ復号部２３は、以下の式（７）に示すように、受信シンボル行列R（太字）[k]と、１つ前のブロックの受信シンボル行列であるR（太字）[k-1]の随伴行列R（太字）H[k-1]とを乗算することにより、推定シンボル行列S（太字）（ハット）[k]を生成し、推定シンボル行列S（太字）（ハット）[k]をデマッピング部２４へ出力する。
【００４８】
【数７】
0006618655.tif 000008
【００４９】
xk+jyk、zk+jwkに対応する推定シンボルをそれぞれ以下の式（８）、式（９）で表すと、推定シンボル行列S（太字）（ハット）[k]は以下の式（１０）で表すことができる。
【００５０】
【数８】
0006618655.tif 000009
【００５１】
【数９】
0006618655.tif 000010
【００５２】
【数１０】
0006618655.tif 000011
【００５３】
ここで、ＤＳＴＢＣ復号部２３は、式（７）で示した通り、１つ前のブロックの受信シンボル行列を用いて、推定シンボル行列S（太字）（ハット）[k]すなわち上記式（８）、式（９）を計算する。このため、ＤＳＴＢＣ復号部２３は、受信シンボル行列R（太字）[k]を次のブロックの処理まで保持する。
【００５４】
なお、上記の式（７）では、行列演算として全ての要素を対象に乗算および加減算を行っているが、例えば、上記式（８）および式（９）の２要素のみを行列演算により算出し、複素共役、符号反転などを用いて他の要素を求めることにより、演算量を削減してもよい。
【００５５】
デマッピング部２４は、ＤＳＴＢＣ復号部２３から入力された推定シンボル、すなわち上記式（８）および式（９）で示した２つのシンボルに対して、複素数からビット値へ変換するデマッピングを行い、デマッピング後のビット値を受信ビット系列として出力する。例えば、送信装置１０のマッピング部１１がＱＰＳＫを用いている場合、デマッピング部２４は、x（ハット）k+jy（ハット）kおよびz（ハット）k+jw（ハット）kがそれぞれ複素平面の第一象限に含まれるシンボルの場合、２ビット（０、０）を出力し、x（ハット）k+jy（ハット）kおよびz（ハット）k+jw（ハット）kがそれぞれ複素平面の第二象限に含まれるシンボルの場合、２ビット（１、０）を出力する。また、デマッピング部２４は、x（ハット）k+jy（ハット）kおよびz（ハット）k+jw（ハット）kがそれぞれ複素平面の第三象限に含まれるシンボルの場合、２ビット（１、１）を出力し、x（ハット）k+jy（ハット）kおよびz（ハット）k+jw（ハット）kがそれぞれ複素平面の第四象限に含まれるシンボルの場合、２ビット（０、１）を出力する。
【００５６】
次に、本実施の形態の送信装置１０および受信装置２０を含む無線通信システムの例について説明する。図９は、本実施の形態における無線通信システムの一例を示す図である。無線通信システム６００は、基地局装置１００−１，１００−２と、移動局装置２００と、制御装置３００とを備える。
【００５７】
基地局装置１００−１，１００−２は、それぞれが送信装置１０を備え、移動局装置２００は、受信装置２０を備える。制御装置３００は、基地局装置１００−１，１００−２を制御する。カバーエリア４００−１は、基地局装置１００−１と移動局装置２００とが通信可能な範囲を示し、カバーエリア４００−２は、基地局装置１００−２と移動局装置２００とが通信可能な範囲を示す。カバーエリア４００−１とカバーエリア４００−２とは、一部が重なっている。移動局装置２００は、カバーエリア４００−１とカバーエリア４００−２とが重なる部分に位置する場合、基地局装置１００−１と基地局装置１００−２との両方から送信された信号を受信することが可能である。以下、基地局装置１００−１，１００−２を個別に区別せずに示すときは、基地局装置１００と記載する。図９では、基地局装置１００を２台、移動局装置２００を１台図示しているが、基地局装置１００の数、および移動局装置２００の数はこの例に限定されない。
【００５８】
次に、図９に示した無線通信システム６００の動作について説明する。制御装置３００は、各送信装置１０へすなわち基地局装置１００−１，１００−２へ、それぞれ送信ビット系列を送信する。また、制御装置３００は、各送信装置１０へすなわち基地局装置１００−１，１００−２のそれぞれへ、第１選択信号および第２選択信号を送信する。制御装置３００は、符号変換部１３において選択される変換処理を指示する信号を基地局装置１００へ送信する。基地局装置１００−１，１００−２では、制御装置３００から受信した第１選択信号および第２選択信号が送信装置１０の符号変換部１３へ入力される。なお、制御装置３００は、上述した初期値であるa0+jb0およびc0+jd0も、基地局装置１００−１，１００−２のそれぞれに送信してもよい。制御装置３００が基地局装置１００−１へ送信する送信ビット系列と制御装置３００が基地局装置１００−２へ送信する送信ビット系列とは、同一である。なお、送信ビット系列は、制御装置３００から送信される必要はなく、一部または全部が基地局装置１００内で生成されてもよい。
【００５９】
一方、制御装置３００が基地局装置１００−１へ送信する第１選択信号および第２選択信号と、制御装置３００が基地局装置１００−２へ送信する第１選択信号および第２選択信号とは、同一ではない。具体的には、制御装置３００が基地局装置１００−１へ送信する第１選択信号と第２選択信号との組み合わせは、制御装置３００が基地局装置１００−２へ送信する第１選択信号と第２選択信号との組み合わせとは異なる。制御装置３００が各基地局装置１００へ送信する第１選択信号および第２選択信号の選択方法については後述する。
【００６０】
移動局装置２００は、基地局装置１００−１，１００−２からの送信信号を受信し、上述した受信装置２０の動作により、受信した信号に対する処理を実施して受信ビット系列を得る。
【００６１】
ここで、制御装置３００における各基地局装置１００に送信する第１選択信号および第２選択信号の選択方法、すなわち、基地局装置１００において用いられる図７および図８で示した各パターンの選択方法について説明する。図１０は、本実施の形態の各パターンのグループ分けの一例を示す図である。図１０に示した例では、第１選択信号と第２選択信号との組み合わせを４つのグループに分けている。
【００６２】
グループ＃１は、組み合わせ１−１〜１−４までの４つの組み合わせを含む。組み合わせ１−１は、第１選択信号がパターンＡを示し、第２選択信号がパターンＥを示す組み合わせである。組み合わせ１−２は、第１選択信号がパターンＢを示し、第２選択信号がパターンＦを示す組み合わせである。組み合わせ１−３は、第１選択信号がパターンＣを示し、第２選択信号がパターンＧを示す組み合わせである。組み合わせ１−４は、第１選択信号がパターンＤを示し、第２選択信号がパターンＨを示す組み合わせである。すなわち、グループ＃１の組み合わせは、ＤＳＴＢＣ行列C（太字）[k]の１列目の要素に対する処理と、ＤＳＴＢＣ行列C（太字）[k]の２列目の要素に対する処理とが同一となる組み合わせである。
【００６３】
グループ＃２は、組み合わせ２−１〜２−４までの４つの組み合わせを含む。組み合わせ２−１は、第１選択信号がパターンＡを示し、第２選択信号がパターンＨを示す組み合わせである。組み合わせ２−２は、第１選択信号がパターンＢを示し、第２選択信号がパターンＥを示す組み合わせである。組み合わせ２−３は、第１選択信号がパターンＣを示し、第２選択信号がパターンＦを示す組み合わせである。組み合わせ２−４は、第１選択信号がパターンＤを示し、第２選択信号がパターンＧを示す組み合わせである。すなわち、グループ＃２の組み合わせは、グループ＃１の組み合わせに対して、パターンＡからパターンＤを固定した場合に、パターンＥからパターンＨをサイクリックに１つずつずらした組み合わせである。
【００６４】
グループ＃３は、組み合わせ３−１〜３−４までの４つの組み合わせを含む。組み合わせ３−１は、第１選択信号がパターンＡを示し、第２選択信号がパターンＧを示す組み合わせである。組み合わせ３−２は、第１選択信号がパターンＢを示し、第２選択信号がパターンＨを示す組み合わせである。組み合わせ３−３は、第１選択信号がパターンＣを示し、第２選択信号がパターンＥを示す組み合わせである。組み合わせ３−４は、第１選択信号がパターンＤを示し、第２選択信号がパターンＦを示す組み合わせである。すなわち、グループ＃３の組み合わせは、グループ＃２の組み合わせに対して、パターンＡからパターンＤを固定した場合に、パターンＥからパターンＨをサイクリックに１つずつずらした組み合わせである。
【００６５】
グループ＃４は、組み合わせ４−１〜４−４までの４つの組み合わせを含む。組み合わせ４−１は、第１選択信号がパターンＡを示し、第２選択信号がパターンＦを示す組み合わせである。組み合わせ４−２は、第１選択信号がパターンＢを示し、第２選択信号がパターンＧを示す組み合わせである。組み合わせ４−３は、第１選択信号がパターンＣを示し、第２選択信号がパターンＨを示す組み合わせである。組み合わせ４−４は、第１選択信号がパターンＤを示し、第２選択信号がパターンＥを示す組み合わせである。すなわち、グループ＃４の組み合わせは、グループ＃３の組み合わせに対して、パターンＡからパターンＤを固定した場合に、パターンＥからパターンＨをサイクリックに１つずつずらした組み合わせである。
【００６６】
図１０に示したように、アンテナごとの変換処理を示す情報の、複数のアンテナ分の組み合わせは、アンテナ１６，１７から送信される信号間の位相差に応じて４つのグループにグループ分けされる。制御装置３００は、カバーエリアの重なる基地局装置１００−１，１００−２に対してそれぞれ異なるグループに属する組み合わせを割当て、割当てた組み合わせに基づいて基地局装置１００のアンテナ１６，１７に対応する変換処理を決定する。
【００６７】
制御装置３００は、基地局装置１００−１と基地局装置１００−２とで、選択するパターンの組合せが、必ず異なるグループに属する組み合わせとなるように、パターンの組み合わせを選択する。例えば、基地局装置１００−１に対してグループ＃１の組み合わせ１−１を選択した場合、基地局装置１００−２に対しては、グループ＃１以外のグループに属する組み合わせ、例えばグループ＃２の組み合わせ２−１を選択する。
【００６８】
次に、移動局装置２００が受信する信号の電力について説明する。移動局装置２００におけるビート干渉は、移動局装置２００が、２つの基地局装置１００−１，１００−２から等レベルの直接波を受信する場合に主に生じる。すなわち、移動局装置２００が、２つの基地局装置１００−１，１００−２からそれぞれ送信された信号を直接受信可能な位置に存在する場合、すなわち移動局装置２００が基地局装置１００−１，１００−２との間でそれぞれ見通しの位置に存在する場合に、ビート干渉は主に生じる。基地局装置１００−１，１００−２は、それぞれが２本のアンテナから信号を送信するため、移動局装置２００は、合計４本のアンテナから送信された直接波を受信することになる。同一の基地局装置１００の２本のアンテナで送信された信号が移動局装置２００で直接波として受信された場合のこれらの信号間の位相差は、基地局装置１００の２本のアンテナから送信された際の位相差とほぼ同様である。一方、異なる基地局装置１００から送信された信号が移動局装置２００で直接波として受信された場合のこれらの信号間の位相差は、移動局装置２００と各基地局装置１００との間の距離に依存して変化する。このため、移動局装置２００が、異なる基地局装置１００から受信した直接波の位相差が１８０度となる場合、すなわち逆位相となった場合、ビート干渉が生じることになる。１つの基地局装置１００の２本のアンテナから送信される信号間の位相差が、基地局装置１００間で等しい場合、２本のアンテナから送信された両方の信号においてビート干渉が生じることになる。そこで、本実施の形態では、基地局装置１００−１と基地局装置１００−２とで、２本のアンテナから送信する信号間の位相差を異なる位相差とすることで、２本の送信アンテナから送信された２つの信号が、移動局装置２００で両方とも逆位相で受信されること、すなわちビート干渉を抑制することができる。
【００６９】
以下に、一例として、制御装置３００が、基地局装置１００−１に対応する組み合わせとして図１０に示した組み合わせ１−１を選択し、基地局装置１００−２に対応する組み合わせとして図１０に示した組み合わせ３−４を選択した場合について説明する。この場合、基地局装置１００−１の送信装置１０における符号変換部１３には、第１選択信号としてパターンＡを示す信号が入力され、第２選択信号としてパターンＥを示す信号が入力される。また、基地局装置１００−２の送信装置１０における符号変換部１３には、第１選択信号としてパターンＤを示す信号が入力され、第２選択信号としてパターンＦを示す信号が入力される。
【００７０】
基地局装置１００−１，１００−２の送信装置１０から送信される符号変換行列を、それぞれD（太字）1[k]，D（太字）2[k]とする。このとき、符号変換行列D（太字）1[k]、D（太字）2[k]は、ak、jbk、ck、jdkを用いて、以下の式（１１）、式（１２）で表される。
【００７１】
【数１１】
0006618655.tif 000012
【００７２】
【数１２】
0006618655.tif 000013
【００７３】
基地局装置１００−１から符号変換行列D（太字）1[k]を送信する場合の、アンテナ１６およびアンテナ１７と移動局装置２００のアンテナ２１との間の伝送路を示す伝送路情報をそれぞれh1,k+jh2,k，h3,k+jh4,kとする。また、基地局装置１００−２から符号変換行列D（太字）2[k]を送信する場合のアンテナ１６およびアンテナ１７と移動局装置２００のアンテナ２１の伝送路情報をそれぞれg1,k+jg2,k、g3,k+jg4,kとする。基地局装置１００−１と移動局装置２００との間の伝送路ベクトルH（太字）[k]、基地局装置１００−２と移動局装置２００との間の伝送路ベクトルG(太字)[k]は、それぞれ以下の式（１３）、式（１４）で表される。なお、ブロック内での伝送路情報の変動は無視できるとする。
【００７４】
【数１３】
0006618655.tif 000014
【００７５】
【数１４】
0006618655.tif 000015
【００７６】
移動局装置２００の受信装置２０のＤＳＴＢＣ復号部２３が生成する受信シンボル行列R（太字）[k]は、符号変換行列D(太字)1[k]、符号変換行列D(太字)2[k]、伝送路ベクトルH(太字)[k]および伝送路ベクトルG(太字)[k]を用いて、以下の式（１５）で表される。なお、雑音は無視できる程度に小さいとする。
【００７７】
【数１５】
0006618655.tif 000016
【００７８】
ここで、k番目のブロックとk+1番目のブロックとの間において、伝送路情報の変動が無視できるとした場合、式（１５）は、以下の式（１６）に示すように変形できる。
【００７９】
【数１６】
0006618655.tif 000017
【００８０】
式（１６）を展開すると、以下の式（１７）が得られる。
【００８１】
【数１７】
0006618655.tif 000018
【００８２】
以上のように、移動局装置２００では、基地局装置１００−１，１００−２からそれぞれ符号変換行列D(太字)1[k]、D(太字)2[k]が送信された場合、上記式（１７）により変調シンボルxk+jyk、zk+jwkの推定値を求めることができる。式（１７）は、上述した式（７）と同様であり、移動局装置２００は、一般的なＤＳＴＢＣ復号と同様の手法で、変調シンボルxk+jyk、zk+jwkの推定値を求めることができる。
【００８３】
以上の図７、図８および図１０を用いて説明した各基地局装置１００すなわち各送信装置１０における変換処理は一例である。この例に限定されず２本のアンテナから送信される信号間の位相差が、カバーエリアが重複する基地局装置間で異なるように設定されるような変換処理であれば、上述した例と同様の効果が得られる。また、複数の基地局装置１００が３つ以上存在する場合には、隣接する基地局装置１００間、すなわちカバーエリアが重複する基地局装置１００間で、２本のアンテナから送信される信号間の位相差が異なるように変換方法が設定されればよく、カバーエリアが重複しない基地局装置１００間では２本のアンテナから送信される信号間の位相差は同一でも異なっていてもよい。また、３つ以上の基地局装置１００のカバーエリアが重なるような場合には、２本のアンテナから送信される信号間の位相差を、これら３つ以上の基地局装置１００が互いに異なるようにすればよい。すなわち、３つ以上の基地局装置１００に対して、第１選択信号および第２選択信号の組み合わせが、上述した図１０におけるグループが互いに異なるように選択されればよい。
【００８４】
以上のように、基地局装置１００の送信装置１０において、ＤＳＴＢＣ符号化後の送信シンボルに変換処理を行い、基地局装置１００間で異なる変換処理を行うことにより、２本の送信アンテナから送信する信号の位相差が、基地局装置１００間で異なるようにした。変換処理は、実部と虚部との入替、および正負の符号の入替を含む。このため、移動局装置２００において複数の基地局装置１００の送信信号が合成されて受信される場合に、ビート干渉を抑制することができる。また、基地局装置１００の送信装置１０から送信された信号を受信する場合に、一般的なＤＳＴＢＣ復号を行えばよいため、受信装置２０として、一般的なＤＳＴＢＣ受信を行う受信装置を、特に処理を追加することなく用いることができる。
【００８５】
実施の形態２．
図１１は、本発明の実施の形態２にかかる無線通信システムの構成例を示す図である。本実施の形態の無線通信システム６００ａは、基地局装置１００ａ−１，１００ａ−２、移動局装置２００および制御装置３００を備える。移動局装置２００の構成および動作は、実施の形態１と同様である。以下、実施の形態１と同様の機能を有する構成要素は実施の形態１と同一の符号を付して重複する説明を省略する。以下、実施の形態１と異なる点を主に説明する。
【００８６】
基地局装置１００ａ−１，１００ａ−２は、それぞれが４本のアンテナを備える。カバーエリア４００ａ−１は、基地局装置１００ａ−１と移動局装置２００とが通信可能な範囲を示し、カバーエリア４００ａ−２は、基地局装置１００ａ−２と移動局装置２００とが通信可能な範囲を示す。カバーエリア４００ａ−１とカバーエリア４００ａ−２とは、一部が重なっている。以下、基地局装置１００ａ−１，１００ａ−２を個別に区別せずに示すときは、基地局装置１００ａと記載する。
【００８７】
図１２は、本実施の形態の基地局装置１００ａの構成例を示す図である。基地局装置１００ａは、送信装置１０−１および送信装置１０−２を備える。送信装置１０−１および送信装置１０−２は、各々が実施の形態１の送信装置１０である。すなわち、基地局装置１００ａは、実施の形態１の送信装置１０を２つ備えている。
【００８８】
制御装置３００は、基地局装置１００ａ−１，１００ａ−２を制御する。制御装置３００は、実施の形態１と同様に、各送信装置１０へ、それぞれ送信ビット系列を送信する。また、制御装置３００は、実施の形態１と同様に、各送信装置１０へ、第１選択信号および第２選択信号を送信する。ただし、本実施の形態では、基地局装置１００ａがそれぞれ２つの送信装置１０を備えているため、第１選択信号および第２選択信号は、１つの基地局装置１００ａあたり２組送信される。実施の形態１と同様に、送信ビット系列は、一部または全部が基地局装置１００ａ内で生成されてもよい。
【００８９】
本実施の形態では、制御装置３００は、送信装置１０ごとに選択された組み合わせが、図１０に示したグループのうち異なるグループに属するように、送信装置１０ごとの第１選択信号および第２選択信号の組み合わせを選択する。すなわち、制御装置３００は、カバーエリアの重なる基地局装置１００ａ−１，１００ａ−２の送信装置１０−１，１０−２すなわち合計４つの送信装置１０に対してそれぞれ異なるグループに属する組み合わせを割当て、割当てた組み合わせに基づいて基地局装置のアンテナに対応する変換処理を決定する。したがって、基地局装置１００ａ−１の送信装置１０−１，１０−２および基地局装置１００ａ−２の送信装置１０−１，１０−２の合計４つの送信装置１０に対して送信する第１選択信号および第２選択信号の組み合わせは、互いに異なるグループに属する。
【００９０】
例えば、制御装置３００は、基地局装置１００ａ−１の送信装置１０−１に対しては、図１０に示したグループ＃１の組み合わせ１−１を選択し、基地局装置１００ａ−１の送信装置１０−２に対しては、図１０に示したグループ＃２の組み合わせ２−１を選択する。また、制御装置３００は、基地局装置１００ａ−２の送信装置１０−１に対しては、図１０に示したグループ＃３の組み合わせ３−１を選択し、基地局装置１００ａ−２の送信装置１０−２に対しては、図１０に示したグループ＃４の組み合わせ４−１を選択する。
【００９１】
これにより、移動局装置２００では、各送信装置１０の２本のアンテナから受信した信号の両方が逆位相となることを抑制することができる。このため、実施の形態１と同様に、ビート干渉を抑制することができる。また、基地局装置１００ａのアンテナは合計４本であるが、基地局装置１００ａは、２本のアンテナを備える送信装置１０を２つ備えているため、各送信装置１０における動作は実施の形態１と同様である。このため、基地局装置１００ａに、アンテナが４本の場合のＤＳＴＢＣの演算処理を実装する必要はない。
【００９２】
また、本実施の形態の受信装置２０は、実施の形態１と同様に、送信装置１０におけるアンテナが２本の場合に対応したＤＳＴＢＣ復号を行えばよく、受信装置２０に送信装置１０におけるアンテナが４本の場合のＤＳＴＢＣの演算処理を実装する必要はない。このため、処理の増加を抑えつつ受信装置２０では送信アンテナが４本の場合の送信ダイバーシチゲインすなわち４本のアンテナから送信された信号が合成されて得られる利得を得ることができる。
【００９３】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００９４】
１０，１０−１，１０−２  送信装置、１１  マッピング部、１２  ＤＳＴＢＣ符号化部、１３  符号変換部、１４，１５，２２  無線部、１６，１７，２１  アンテナ、２０  受信装置、２３  ＤＳＴＢＣ復号部、２４  デマッピング部、１００−１，１００−２，１００ａ，１００ａ−１，１００ａ−２  基地局装置、２００  移動局装置、３００  制御装置。
【図１】
0006618655.tif 000019
【図２】
0006618655.tif 000020
【図３】
0006618655.tif 000021
【図４】
0006618655.tif 000022
【図５】
0006618655.tif 000023
【図６】
0006618655.tif 000024
【図７】
0006618655.tif 000025
【図８】
0006618655.tif 000026
【図９】
0006618655.tif 000027
【図１０】
0006618655.tif 000028
【図１１】
0006618655.tif 000029
【図１２】
0006618655.tif 000030